(57)【要約】 【課題】集塵機に容易に装着することができるカートリッジフィルタを提供する。【解決手段】全体としては略筒状を成しかつ胴壁が円周方向へ連続する蛇腹状を成すフィルタ本体１と、略筒状を成してこのフィルタ本体１の一端にこれと同心して設けられ集塵機の取付け部に着脱される連結部２と、一端が連結部２に同心して固着されかつフィルタ本体１内に収容された筒状のリテーナ３と、フィルタ本体１の長手方向へ適宜の間隔をおいてフィルタ本体１に環装して固着されフィルタ本体１の過度の膨らみを防止しかつ伸縮性を有する複数個の短尺筒状のバンド４と、を備えたことを特徴とする。【選択図】     図１
2008168190.tif 000002
【特許請求の範囲】
【請求項１】
集塵機に装着されるカートリッジフィルタであって、
全体としては略筒状を成しかつ胴壁が円周方向へ連続する蛇腹状を成すフィルタ本体と、
略筒状を成してこのフィルタ本体の一端にこれと同心して設けられ前記集塵機の取付け部に着脱される連結部と、
一端がこの連結部に同心して固着されかつ前記フィルタ本体内に収容された筒状のリテーナと、
前記フィルタ本体の長手方向へ適宜の間隔をおいてフィルタ本体に環装して固着されフィルタ本体の過度の膨らみを防止しかつ伸縮性を有する複数個の短尺筒状のバンドと、
を備えたことを特徴とする集塵機のカートリッジフィルタ。
【請求項２】
前記バンドの伸縮性は１０〜１５％であること特徴とする請求項１に記載の集塵機のカートリッジフィルタ。
【発明の詳細な説明】
【技術分野】
【０００１】
本発明は、集塵機に装着されるカートリッジフィルタの改良に関する。
【背景技術】
【０００２】
従来、集塵機のカートリッジフィルタの一つとして、全体として略筒状を成しかつ胴壁が円周方向へ連続する蛇腹状を成すフィルタ本体と、略筒状を成してこのフィルタ本体の一端にこれと同心して設けられ前記集塵機の取付け部に着脱される連結部と、前記フィルタ本体内に収容された筒状のリテーナと、前記フィルタ本体との間に環状の所要大きさの隙間を設けかつフィルタ本体の長手方向へ適宜の間隔をおいてフィルタ本体に環装されフィルタ本体の過度の膨らみを防止する複数個の短尺筒状のバンドと、これらのバンドを前記連結部に懸吊させる懸吊部材と、で構成させたものがある。
【特許文献１】特開２００３−２５１１２９号公報
【発明の開示】
【発明が解決しようとする課題】
【０００３】
しかし、このように構成された従来のカートリッジフィルタでは、集塵機に装着する際、それのバンドが切断する恐れがあり、したがって、カートリッジフィルタの装着には細心の注意を払う必要があるため、作業者に気苦労を掛ける上に長い時間を費やさせ、作業性が悪いなどの問題があった。
【０００４】
本発明は上記の事情に鑑みてなされたもので、その目的は、集塵機に容易に装着することができるカートリッジフィルタを提供することにある。 
【課題を解決するための手段】
【０００５】
上記の問題を解消するために本発明における集塵機のカートリッジフィルタは、集塵機に装着されるカートリッジフィルタであって、全体としては略筒状を成しかつ胴壁が円周方向へ連続する蛇腹状を成すフィルタ本体と、略筒状を成してこのフィルタ本体の一端にこれと同心して設けられ前記集塵機の取付け部に着脱される連結部と、一端がこの連結部に同心して固着されかつ前記フィルタ本体内に収容された筒状のリテーナと、前記フィルタ本体の長手方向へ適宜の間隔をおいてフィルタ本体に環装して固着されフィルタ本体の過度の膨らみを防止しかつ伸縮性を有する複数個の短尺筒状のバンドと、を備えたことを特徴とする。
【０００６】
このように構成されたものは、パルスエアのフィルタ本体内への吹込みにより、フィルタ本体の胴壁は、バンドを引き伸ばしながら膨み、このようなフィルタ本体の胴壁の膨張現象はパルスエアの吹込みによって繰り返される。この結果、フィルタ本体の胴壁は強制振動されて大きく変形し、フィルタ本体に付着した粉塵が剥離されることとなる。
【０００７】
なお、本発明におけるバンドは、１０〜１５％の伸縮性を有していることが望ましい。これにより、粉塵払い落としのためにパルスエアをフィルタ本体内に吹き込んだ時に、フィルタ本体はバンドが伸長できる範囲内で膨れることができる。そして、カートリッジフィルタを集塵機に装着する時点では、バンドはフィルタ本体に密着していることとなる。また、バンドの伸縮性が１０〜１５％の範囲以外では、所望の作用効果を十分に得ることができない。
【発明の効果】
【０００８】
上記の説明から明らかなように本発明は、集塵機に装着されるカートリッジフィルタであって、全体としては略筒状を成しかつ胴壁が円周方向へ連続する蛇腹状を成すフィルタ本体と、略筒状を成してこのフィルタ本体の一端にこれと同心して設けられ前記集塵機の取付け部に着脱される連結部と、一端がこの連結部に同心して固着されかつ前記フィルタ本体内に収容された筒状のリテーナと、前記フィルタ本体の長手方向へ適宜の間隔をおいてフィルタ本体に環装して固着されフィルタ本体の過度の膨らみを防止しかつ伸縮性を有する複数個の短尺筒状のバンドと、を備えたから、カートリッジフィルタを集塵機に装着する時点では、バンドはフィルタ本体に密着しているため、カートリッジフィルタを集塵機に容易に装着することができるなどの優れた実用的効果を奏する。
【発明を実施するための最良の形態】
【０００９】
次に、本発明を適用したカートリッジフィルタの一実施例について図１に基づき詳細に説明する。本カートリッジフィルタは、全体としては略筒状を成しかつ胴壁が円周方向へ連続する蛇腹状を成すフィルタ本体１と、略筒状を成してこのフィルタ本体１の一端にこれと同心して設けられ集塵機（図示せず）の取付け部に着脱される連結部２と、一端がこの連結部２に同心して固着されかつ前記フィルタ本体１内に収容された筒状のリテーナ３と、前記フィルタ本体１の長手方向へ適宜の間隔をおいてフィルタ本体１に環装して固着されフィルタ本体１の過度の膨らみを防止しかつ伸縮性を有する複数個の短尺筒状のバンド４・４と、で構成してある。
【００１０】
そして、前記フィルタ本体１はスパンボンドで構成してある。また、前記連結部２は、合成樹脂製であって、集塵機における外形が先細り状を成す筒状の支持部材にこれを挿入させて取付け可能な構造になっており、さらに、内径が前記支持部材の外径寸法より若干長い内径寸法を有していて前記支持部材の外径と相似する上広がり状を成しかつ内面に複数の環状凸部が突設してある。これにより、前記支持部材を前記連結部２内に挿入すると、前記連結部２の凸部の収縮による把持力と、前記連結部２および前記支持部材の相互の摩擦力により、前記連結部２は前記支持部材に固定することができる。
【００１１】
また、前記リテーナ３は、縦・横に格子状のポリプロピレン樹脂によって製作してある。
なお、図中符号５は、前記リテーナ３の他端に固着されて前記フィルタ本体１を支持しかつ前記リテーナ３の他端開口部を閉鎖する閉鎖部材である。
【００１２】
このように構成したものは、図示しない集塵機にカートリッジフィルタを装着して集塵すると、粉塵の捕集がある程度されたときフィルタ本体１の胴壁に粉塵が付着するため、パルスエアをフィルタ本体１内に吹き込む。すると、フィルタ本体１の胴壁は、バンド４・４を引き伸ばしながら和太鼓の胴体のようにフィルタ本体１の長手方向における中央部分を最大に膨らむように変形され、これに伴って、フィルタ本体１の蛇腹がバンド４・４の伸長可能な限り伸ばされ、このようなフィルタ本体１の胴壁の膨張現象はパルスエアの吹込みによって繰り返される。この結果、フィルタ本体１の胴壁は強制振動されて大きく変形し、フィルタ本体１に付着した粉塵が剥離されることとなる。
【図面の簡単な説明】
【００１３】
【図１】本発明を適用したカートリッジフィルタの一実施例の一部断面正面図である。
【符号の説明】
【００１４】
１    フィルタ本体
２    連結部
３    リテーナ
４    バンド
【図１】
2008168190.tif 000003